(57)【特許請求の範囲】
【請求項１】
サッシ枠（１）の室内側に嵌殺し障子（３）を備え、室外側に引障子（２）を備えたサッシ窓において、
嵌殺し障子（３）の下桟（１１）をサッシ下枠（４）の上に起立し、下桟の室内側見付け面に凹溝（１５）を下桟のガラス保持部（１３）よりも下側に設けると共に、凹溝（１５）の深さ方向を斜め下向きに形成してあり、室内側見付け面を凹溝（１５）よりも上側部分では鉛直面に形成すると共に、凹溝（１５）の下部に水抜穴（１６）をあけ、水抜穴（１６）と室外を連通する排水孔（１８）をサッシ下枠（４）に設けたことを特徴とするサッシ窓の嵌殺し障子の排水構造。
【発明の詳細な説明】
【０００１】
【発明の属する技術分野】
本発明は、サッシ枠の室内側に嵌殺し障子を備え、室外側に引障子を備えたサッシ窓に使用するもので、上記したサッシ窓の嵌殺し障子における下桟の室内側から結露水を排水する装置に関する。
【０００２】
【従来の技術】
上述したサッシ窓の嵌殺し障子の排水装置としては、実開昭５９−１４０６９１号公報に示すように、サッシ下枠の室内側上面に結露水受溝を設けたものが知られている。結露水受溝は、嵌殺し障子の嵌合溝の横に位置し、嵌殺しガラスとサッシ下枠の室内側上面と立ち上がり壁とで上向きのコ字状に形成してある。
【０００３】
ところが、上記した従来例の構造では、ガラス保持部（ガラスを前後から支持する部分）の前後幅を現状と同一幅にしたまま、現状よりも厚いガラスを嵌めることができなかった。つまり、結露水受溝を形成するには底となるサッシ下枠の室内側上面部分が必要であるにも関わらず、現状よりも厚いガラスを嵌め込むためにガラス嵌合溝の間口を幅広くすると、サッシ下枠の室内側上面部分がなくなり、ひいては結露水受溝が形成できなくなる。かといって、現状よりも厚いガラスを嵌めるためにその厚みの増加分だけガラス保持部の前後幅を現状よりも室内側に広げたのでは、その分、室内空間が狭くなる。なお、従来例としては、実開平３−９９１８３号の発明もあり、これも同様の問題がある。
【０００４】
【発明が解決しようとする課題】
本発明は上記実情を考慮して開発されたもので、その目的は、嵌殺し障子のガラス厚が厚い場合でも結露水の排水効果が得られ、しかも、室内空間をできる限り広く取ることである。
【０００５】
【課題を解決するための手段】
本発明は、サッシ枠の室内側に嵌殺し障子を備え、室外側に引障子を備えたサッシ窓において、嵌殺し障子の下桟をサッシ下枠の上に起立し、下桟の室内側見付け面に凹溝を下桟のガラス保持部よりも下側に設けると共に、凹溝の深さ方向を斜め下向きに形成してあり、室内側見付け面を凹溝よりも上側部分では鉛直面に形成すると共に、凹溝の下部に水抜穴をあけ、水抜穴と室外を連通する排水孔をサッシ下枠に設けたことを特徴とする。
【０００６】
嵌殺し障子の下桟をサッシ下枠の上に起立してあるので、下桟の室内側見付け面に凹溝を形成することができる。
【０００７】
嵌殺し障子の室内面に発生した結露水は、ガラス表面に沿って落下して、嵌殺し障子の下桟の鉛直な室内側見付け面、凹溝、凹溝の水抜穴、サッシ下枠の排水孔を順次通過して室外に排出される。なお、水抜穴の形成箇所を凹溝の下部にしたのは、仮に凹溝の上部だと、結露水の排水効率が悪いからである。
【０００８】
室外側から風が吹いたりした場合は、水抜穴から水が逆流する可能性もあるので、それを阻止するには、例えば、凹溝の水抜穴に逆流防止機能付きの水抜きピースを取り付けてあることが望ましい。
【０００９】
また、上述した請求項１記載の発明では、室内側見付け面に凹溝を形成してあったが、別の手法で結露水を排水しても良い。それには、サッシ枠の室内側に嵌殺し障子を備え、室外側に引障子を備えたサッシ窓において、嵌殺し障子の下桟をサッシ下枠の上に起立し、下桟における室内側見付け面に鍔を、下桟のガラス保持部よりも下側から室内側に向かって斜め上向きに突出して設け、室内側見付け面を鍔よりも上側部分では鉛直面に形成すると共に、室内側見付け面には水抜穴を、室内側から下桟を水平視した場合に鍔で覆われる部分にあけ、水抜穴に逆流防止機能付きの水抜きピースを取り付け、水抜穴と室外を連通する排水孔をサッシ下枠に設けてもよい。
【００１０】
【発明の実施の形態】
サッシ窓は図１又は図２に示すように、サッシ枠１の室外側に引障子２を有し、サッシ枠１の室内側に嵌殺し障子３を備えている。
【００１１】
サッシ枠１は、下枠４の上面が略水平なもので、上枠（図示せず）、下枠４、左縦枠５、右縦枠６とからなり、下枠４の上面室内側に嵌殺し障子３の係止孔７をあけ、下枠４の上面室外側に引障子２の戸車８が滑走する窪み９を設けてある。
【００１２】
嵌殺し障子３は、ガラス１０の上側を上桟を介してサッシ上枠に固定し（図示せず）、ガラス１０の下側を下桟１１を介してサッシ下枠４に固定し、ガラス１０の左側を左縦桟１２で囲み、ガラス１０の右側をサッシ右縦枠６に固定してある。なお、左縦桟１２は、サッシ上枠と下枠４の横幅中間部に立ててある。符号Ｓは、シール材である。
【００１３】
下桟１１は、サッシ下枠４の略水平な上面（躯体への水平な取付片Ｔ）よりも上側に起立するもので、その上部には、上向きに開口するコ字状のガラス保持部１３を有し、その下部の前後幅中央部には、サッシ下枠４の係止孔７に差し込む一対の係止片１４，１４を前後に間隔をあけて垂下してある。
【００１４】
上述したサッシ窓に使用する本発明のサッシ窓の嵌殺し障子の排水装置の第一実施形態は図１から図４に示すように、下桟１１の室内側見付け面に凹溝１５を、ガラス保持部１３よりも下側部分に設け、室内側見付け面における凹溝１５よりも上側部分を鉛直面に形成し、凹溝１５の底には水抜穴１６を長手方向に間隔をあけて設け、水抜穴１６に水抜きピース１７を取り付け、サッシ下枠４には水抜穴１６よりも下側に、排水孔１８を室外に連通する状態であけてある。また、上述した下桟の両係止片１４，１４の間隔も、排水孔１８と同様の機能を果たす。なお、水抜穴１６と排水孔１８は平面視して異なる位置にあけてある。
【００１５】
下桟１１は凹溝１５をその深さ方向が斜め下向きとなる状態で形成し、凹溝１５の開口端下側部分をわずかに室内側に突出してある。また、凹溝１５の左右は、サッシ右縦枠６と左縦桟１２で覆われているので、凹溝１５内に結露水が確実にたまる。なお、ガラス保持部１３に収容するシール材Ｓは、室内側見付け面の上端に向かってその上面を斜め下向きにして、結露水が室内側見付け面に流れやすくしてある。
【００１６】
水抜きピース１７は図１又は図５に示すように、中空のブロック１９を、水抜穴１６に係止し、ブロック１９の上部の入口２０から水を取り込み、ブロック１９の下部の出口２１から水を排水するもので、その出口２１に羽根２２を開閉可能に軸支して逆流防止機能を果たしている。
【００１７】
ブロック１９は図６に示すように、横幅方向に貫通した筒型であって、上部の横幅を広く形成し、前後面の横幅中央部には水抜穴１６に引っ掛ける凸部２３を有し、前後面の左右端部には、羽根２２を軸支する軸支孔２４をあけてある。また、羽根２２の前後面にも図７に示すように、軸支孔２４に対応する箇所に突起２５を設けてある。
【００１８】
サッシ下枠４は、室外面の排水孔１８の上部に受溝２６を室外に向かって開口し、その受溝２６に蓋２７の上部の膨大部２８を収容して、室外面の排水孔１８を蓋２７で開閉自在に塞ぎ、結露水の自重によって蓋２７を開いて排水すると共に、室外からの風の吹き込み等による排水の逆流を防止してある。
【００１９】
本発明のサッシ窓の嵌殺し障子の排水装置の第二実施形態は図８に示すように、サッシ下枠４がレール２９で引障子２を開閉する構造のサッシ窓に適用したことを特徴とするものである。
【００２０】
本発明のサッシ窓の嵌殺し障子の排水装置の第三実施形態は図９に示すように、嵌殺し用のガラス１０に複層ガラスを用い、前後幅が室内側に広がった下桟１１を用いた構造のサッシ窓に適用したことを特徴とするものである。
【００２１】
本発明のサッシ窓の嵌殺し障子の排水装置の第四実施形態は図１０に示すように、第一実施形態の凹溝１５を形成する代わりに、下桟１１の室内側見付け面に鍔３０を、下桟１１のガラス保持部１３よりも下側から室内側に向かって斜め上向きに突出し、室内側見付け面を鍔３０よりも上側部分では鉛直面に形成すると共に、室内側見付け面には水抜穴１６を鍔３０の根元部分の上にあけ、水抜穴１６に水抜きピース１７を取り付けたことを特徴とする。
【００２２】
鍔３０は、その突出量を躯体への取付片Ｔの内部側先端よりも室外側とし、その上面の前後幅中間部には、水抜きピース１７の凸部２３を引っ掛ける抜止め部３１を突出してある。また、鍔３０と室内側見付け面とで形成される断面三角形状の空間の左右を塞ぐために、鍔３０と見付け面の左右端部にキャップを取り付け（図示せず）、水が確実に溜まるようにする。
【００２３】
なお、上述した本発明は図１１に示す外動片引き窓や、図１２に示す中央引き分け両袖嵌殺し窓に使用できる。
【００２４】
【発明の効果】
請求項１の発明は、嵌殺し障子の下桟の見付け面に凹溝を形成し、しかも、ガラス保持部の下側に凹溝を形成してあると共に、凹溝の深さ方向を斜め下向きに形成してあるので、鉛直な室内側見付け面から凹溝の上面に沿って結露水が流れ込みやすくなり、排水効率が向上する。また、ガラスの厚みに関係なく凹溝を下桟に形成することができ、従って、嵌殺し障子のガラスが厚い場合でも結露水の排水効果が得られ、そのうえ下桟の前後幅を従来の下桟と同幅に維持できるので、室内空間を広くとることができる。
【図面の簡単な説明】
【図１】  サッシ窓の嵌殺し障子の排水装置の第一実施形態を示す縦断面図である。
【図２】  サッシ窓の嵌殺し障子の排水装置の第一実施形態を示す横断面図である。
【図３】  サッシ窓の嵌殺し障子の排水装置の第一実施形態を室内側から視た状態を示す一部切欠斜視図である。
【図４】  サッシ窓の嵌殺し障子の排水装置の第一実施形態を室外側から視た状態を示す一部切欠斜視図である。
【図５】（イ）（ロ）（ハ）  水抜きピースを示す側面図、正面図、Ａ−Ａ線断面図である。
【図６】（イ）（ロ）（ハ）  水抜きピースのブロックを示す正面図、側面図、Ｂ−Ｂ線断面図である。
【図７】（イ）（ロ）  水抜きピースの羽根を示す正面図、左側面図である。
【図８】  サッシ窓の嵌殺し障子の排水装置の第二実施形態を示す縦断面図である。
【図９】  サッシ窓の嵌殺し障子の排水装置の第三実施形態を示す縦断面図である。
【図１０】  サッシ窓の嵌殺し障子の排水装置の第四実施形態を示す縦断面図である。
【図１１】  外動引き窓を示す概略正面図である。
【図１２】  中央引き分け両袖嵌殺し窓を示す概略正面図である。
【符号の説明】
１  サッシ枠
２  引障子
３  嵌殺し障子
４  下枠
１１  下桟
１３  ガラス保持部
１５  凹溝
１６  水抜穴
１７  水抜きピース
１８  排水孔
３０  鍔
【図１】
0003928453.tif 000002
【図２】
0003928453.tif 000003
【図３】
0003928453.tif 000004
【図４】
0003928453.tif 000005
【図５】
0003928453.tif 000006
【図６】
0003928453.tif 000007
【図７】
0003928453.tif 000008
【図８】
0003928453.tif 000009
【図９】
0003928453.tif 000010
【図１０】
0003928453.tif 000011
【図１１】
0003928453.tif 000012
【図１２】
0003928453.tif 000013